(57)【要約】  【課題】コンテンツを表示可能なコンテンツ処理装置において、コンテンツを表示する表示部の表示形式を変更可能とし、コンテンツのみならず、他の情報をも表示可能とする。  【解決手段】コンテンツと、前記コンテンツと連動する連動アイコンを一の領域に表示する表示部を有し、連動アイコンが前記表示部に表示されている場合に受信した信号が所定の条件を満たす場合には、前記表示部の表示形式を変更する機能を有するコンテンツ処理装置を有するコンテンツ提供システムを提案する。コンテンツ処理装置は、リモコン装置から所定の条件を満たす信号を受信した際に、連動アイコンが表示されていれば表示形式の変更を行う。表示形式の変更する場合には、拡大縮小表示等のみならず、新ウインドウの追加、追加した新ウインドウに宣伝広告情報を表示する等が可能である。【選択図】            図１
2007052560.tif 000002
【特許請求の範囲】
【請求項１】
コンテンツ情報を取得するコンテンツ情報取得部と、
前記コンテンツ情報にて表示されるコンテンツと連動する連動アイコンの情報である連動アイコン情報を取得する連動アイコン情報取得部と、
コンテンツと、前記コンテンツと連動する連動アイコンとを一の領域に表示する表示部と、
信号を受信する信号受信部と、
前記連動アイコンが前記表示部に表示されているか否かを示すアイコン表示有無情報を取得するアイコン表示有無情報取得部と、
前記アイコン表示有無情報取得部が取得したアイコン表示有無情報が前記連動アイコンが前記表示部に表示されている旨を示す情報である場合に、前記信号受信部が受信した信号が所定の条件を満たすか判断する判断部と、
前記判断部での判断結果が所定の条件を満たすとの判断結果である場合に、前記表示部の表示形式を変更するための表示形式変更部と、
を有するコンテンツ処理装置を有するコンテンツ提供システム。
【請求項２】
ボタンと、
前記ボタンの押下に連動して前記所定の条件を満たす信号を出力する信号出力部と、
を有する前記コンテンツ処理装置のリモコン装置をさらに有する請求項１に記載のコンテンツ提供システム。
【請求項３】
前記表示形式変更部は、表示形式の変更として、前記表示部に新たなウインドウである新ウインドウを追加する機能をもつウインドウ追加手段を有する請求項１又は２に記載のコンテンツ提供システム。
【請求項４】
前記ウインドウ追加手段にて新ウインドウが追加された場合に、通信を開始して宣伝広告情報を取得する宣伝広告情報通信取得部と、
前記宣伝広告情報通信取得部にて取得された宣伝広告情報を、前記ウインドウ追加手段にて追加された新ウインドウに表示する宣伝広告情報表示部と、
を有する請求項３に記載のコンテンツ提供システム。
【請求項５】
コンテンツ処理装置を物理的に識別するための情報である機器識別情報を保持する機器識別情報保持部を有し、
前記宣伝広告情報通信取得部は、前記機器識別情報保持部に保持されている機器識別情報に基づいて前記宣伝広告情報を取得する請求項４に記載のコンテンツ提供システム。
【請求項６】
宣伝広告情報を保持する宣伝広告情報保持部と、
前記宣伝広告情報保持部に保持している宣伝広告情報を宣伝広告情報通信取得部に対して出力する宣伝広告情報出力部と、
を有する宣伝広告提供サーバをさらに有する請求項４又は５に記載のコンテンツ提供システム。
【請求項７】
前記コンテンツ情報取得部は、前記コンテンツの放送を受信する放送受信手段を有し、
前記表示部は、前記放送受信手段にて受信したコンテンツ情報と前記連動アイコン情報取得部にて取得した連動アイコン情報に基づいてコンテンツに重畳して連動アイコンを表示するアイコン重畳手段を有する
請求項１から６のいずれか一に記載のコンテンツ提供システム。
【請求項８】
前記コンテンツはテレビ番組である請求項１から７のいずれか一に記載のコンテンツ提供システム。
【請求項９】
コンテンツ情報を取得するコンテンツ情報取得ステップと、
前記コンテンツ情報にて表示されるコンテンツと連動する連動アイコンの情報である連動アイコン情報を取得する連動アイコン情報取得ステップと、
コンテンツと、前記コンテンツと連動する連動アイコンとを一の領域に表示する表示ステップと、
信号を受信する信号受信ステップと、
前記連動アイコンが前記表示ステップにて表示されているか否かを示すアイコン表示有無情報を取得するアイコン表示有無情報取得ステップと、
前記アイコン表示有無情報取得ステップにて取得したアイコン表示有無情報が前記連動アイコンが前記表示ステップにて表示されている旨を示す情報である場合に、前記信号受信ステップにて受信した信号が所定の条件を満たすか判断する判断ステップと、
前記判断ステップでの判断結果が所定の条件を満たすとの判断結果である場合に、前記表示ステップにおける表示形式を変更するための表示形式変更ステップと、
を有するコンテンツ提供方法。
【請求項１０】
ボタンの押下に連動して前記所定の条件を満たす信号を出力する信号出力ステップと、
をさらに有する請求項９に記載のコンテンツ提供方法。
【請求項１１】
前記表示形式変更ステップは、前記表示ステップにおける表示形式を変更する際に、表示形式の変更として、新たなウインドウである新ウインドウを追加するウインドウ追加ステップを有する請求項９又は１０に記載のコンテンツ提供方法。
【請求項１２】
前記ウインドウ追加ステップにて新ウインドウが追加された場合に、通信を開始して宣伝広告情報を取得する宣伝広告情報通信取得ステップと、
前記宣伝広告情報通信取得ステップにて取得された宣伝広告情報を、前記ウインドウ追加ステップにて追加された新ウインドウに表示する宣伝広告情報表示ステップと、
を有する請求項１１に記載のコンテンツ提供方法。
【請求項１３】
コンテンツ処理装置を物理的に識別するための情報である機器識別情報を保持する機器識別情報保持ステップを有し、
前記宣伝広告情報通信取得ステップは、前記機器識別情報保持ステップにて保持されている機器識別情報に基づいて前記宣伝広告情報を取得する請求項１２に記載のコンテンツ提供方法。
【請求項１４】
前記コンテンツ情報取得ステップは、前記コンテンツの放送を受信する放送受信ステップを有し、
前記表示ステップは、前記連動アイコン情報取得ステップにて取得した連動アイコン情報と前記放送受信ステップにて受信したコンテンツ情報に基づいてコンテンツに重畳して連動アイコンを表示するアイコン重畳ステップを有する請求項９から１３のいずれか一に記載のコンテンツ提供方法。
【発明の詳細な説明】
【技術分野】
【０００１】
本発明は、コンテンツと連動する連動アイコンを表示中に受信した信号に基づいて、コンテンツと連動アイコンを表示する表示部の表示形式を変更する機能を有するコンテンツ提供システムに関する。
【背景技術】
【０００２】
従来、パソコン、ＰＤＡ（Ｐｅｒｓｏｎａｌ  Ｄｉｇｉｔａｌ  Ａｓｓｉｓｔａｎｃｅ）、携帯電話等の電子機器において、インターネットに接続してコンテンツプロバイダ等から提供されるコンテンツを視聴することが可能である。また、コンテンツをより見やすくするために、特許文献１に係る発明においては、パソコン等の情報処理装置においてアクティブ状態のウインドウ内のイメージのみを拡大縮小表示するための表示制御方法が開示されている。
【特許文献１】特開２００５−７０８９８号公報
【発明の開示】
【発明が解決しようとする課題】
【０００３】
しかしながら、コンテンツの拡大縮小表示のみならず、コンテンツ以外の情報をコンテンツと同時に表示する等の要求もある。例えば、近年においてはデジタルテレビが普及し、テレビ番組等のコンテンツと同時に他の付加的情報も取得することが可能となっている。このような技術を利用すれば、例えば、テレビ番組中で番組のスポンサー会社の製品が表示されている場合に、製品の宣伝広告をコンテンツと同時に表示することにより、より宣伝効果を高める効果等も期待できる。このためには、コンテンツを表示する際の表示形式を変更する必要がある。
【課題を解決するための手段】
【０００４】
本発明は、この課題を解決するために、コンテンツ情報と、前記コンテンツ情報にて表示されるコンテンツと連動する連動アイコンの情報である連動アイコン情報を取得し、コンテンツと連動アイコンを一の領域に表示する表示部を有し、連動アイコンが前記表示部に表示されている場合に受信した信号が所定の条件を満たす場合には、前記表示部の表示形式を変更する機能を有するコンテンツ処理装置を有するコンテンツ提供システムを提案する。即ち、連動アイコンは表示形式の変更が可能であることを示すアイコンであり、コンテンツ処理装置は、リモコン、携帯電話、ＰＤＡ等の電子機器から所定の条件を満たす信号を受信した際に、連動アイコンが表示されていれば、表示形式の変更を行う。表示形式の変更する場合には、拡大縮小表示等のみならず、新ウインドウを追加する、追加した新ウインドウに宣伝広告情報を表示する等が可能である。
【発明の効果】
【０００５】
以上のように、本発明に係るコンテンツ提供システムにおいては、コンテンツと、前記コンテンツと連動する連動アイコンを一の領域に表示する表示部を有し、連動アイコンが前記表示部に表示されている場合に受信した信号が所定の条件を満たす場合には、前記表示部の表示形式を変更するコンテンツ処理装置を有する。表示形式の変更を行うことにより、よりコンテンツを見やすくしたり、コンテンツ以外の情報を表示する等が可能である。さらには、テレビ番組のスポンサー会社の製品広告などを表示することにより、宣伝効果等を期待することも可能である。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、８、９などについて説明する。実施形態２は、主に請求項２、１０などについて説明する。実施形態３は、主に請求項３、１１などについて説明する。実施形態４は、主に請求項４、１２などについて説明する。実施形態５は、主に請求項５、１３などについて説明する。実施形態６は、主に請求項６などについて説明する。実施形態７は、主に請求項７、１４などについて説明する。
（実施形態１）
【０００７】
（実施形態１：概要）
【０００８】
本実施形態は、コンテンツと、前記コンテンツと連動する連動アイコンを一の領域に表示する表示部を有し、連動アイコンが前記表示部に表示されている場合に受信した信号が所定の条件を満たす場合には、前記表示部の表示形式を変更する機能を有するコンテンツ処理装置を有するコンテンツ提供システムに関する。
【０００９】
（実施形態１：構成）
【００１０】
本実施形態に係るコンテンツ提供システムの機能ブロックを図１に例示する。図１に示すコンテンツ提供システムは、「コンテンツ処理装置」（０１１０）を有し、前記コンテンツ処理装置（０１１０）は、「コンテンツ情報取得部」（０１１１）と、「連動アイコン情報取得部」（０１１２）と、「表示部」（０１１３）と、「信号受信部」（０１１４）と、「アイコン表示有無情報取得部」（０１１５）と、「判断部」（０１１６）と、「表示形式変更部」（０１１７）とを有する。前記コンテンツ処理装置（０１１０）は、通信によってコンテンツを受信し、受信したコンテンツを表示可能な電子機器全般が該当する。例えば、デジタルテレビ、パソコン、携帯電話、ＰＤＡ、等が該当する。コンテンツを受信するための通信は、有線によってもよいし無線によってもよい。通信が有線による場合は、ケーブルテレビ、有線ネットワーク通信、等が想定され、通信が無線による場合は、地上デジタル放送波、デジタル衛星放送波、無線ネットワーク通信、等が想定される。また、ここでの「コンテンツ」とは、映像や音声、音楽等を含み、さらに、文字情報、アプリケーションプログラム等を含むものを意味する。すなわち、視聴者が視聴する映像や音声等を実現するコンテンツ信号と、コンテンツ信号に関連する情報等を含む。具体的には、例えば、テレビ番組、ＥＰＧ（Ｅｌｅｃｔｒｏｎｉｃ  Ｐｒｏｇｒａｍ  Ｇｕｉｄｅ）等のテレビ番組情報、ネットワーク上にて配信される動画コンテンツや静止画コンテンツ等が該当する。
【００１１】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図２は一般的なコンピュータの構成を例示する図でありコンピュータが主にＣＰＵ（０２１０）、入出力インタフェース（Ｉ／Ｏ）（０２２０）、ハードディスク（ＨＤＤ）（０２３０）、ＲＡＭ（０２４０）、ＲＯＭ（０２５０）等から構成されることを示しているが、本件発明に係るコンテンツ提供システムは図２と同様の構成にて実現される。（明細書の全体を通じて同様である。）
【００１２】
「コンテンツ情報取得部」（０１１１）は、コンテンツ情報を取得する機能を有する。「コンテンツ情報」とは、コンテンツを実現するための情報であり、具体的には画像データ等が該当する。また、コンテンツは、特にテレビ番組であってもよい。また、コンテンツ情報は、放送局やコンテンツプロバイダ等の外部から取得されてもよいし、コンテンツ処理装置内部の記憶媒体等から取得されてもよい。また、コンテンツ情報の取得方法は、有線通信によってもよいし無線通信によってもよい。有線通信による場合は、ケーブルテレビ、有線ネットワーク通信、等が想定され、無線通信による場合は、地上デジタル放送波、デジタル衛星放送波、無線ネットワーク通信、等が想定される。また、コンテンツ情報取得部の具体的な処理としては、例えば、映像入力端子等の入力インタフェースを介して入力された画像データ等が、ＨＤＤ、ＲＡＭ等の所定の記憶領域に格納されることにより実現される。また、コンテンツ情報取得部はこのような処理をＣＰＵに実行させるためのプログラムを含んでいてもよい。
【００１３】
「連動アイコン情報取得部」（０１１２）は、前記コンテンツ情報にて表示されるコンテンツと連動する連動アイコンの情報である連動アイコン情報を取得する機能を有する。「連動アイコン情報」とは、具体的には、連動アイコンの画像データが該当するが、連動アイコンが後述の表示部（０１１３）に表示されるか否かを示す情報のみであってもよいし、このような情報と画像データとの両方を含んでいてもよい。連動アイコン情報が表示部（０１１３）に表示されるか否かを示す情報のみである場合には、連動アイコンの画像データは、別途、ＨＤＤ、ＲＡＭ等の所定の記憶領域に格納されていることが想定される。さらに、前記コンテンツ情報取得部（０１１１）にてコンテンツ中に連動アイコンが含まれて一の画像データとなって取得される場合には、前記コンテンツ情報取得部（０１１１）にて取得されたコンテンツ情報に基づいて、コンテンツをＯＣＲ（Ｏｐｔｉｃａｌ  Ｃｈａｒａｃｔｅｒ  Ｒｅａｄｅｒ）でスキャンする等により連動アイコンが表示されているか否かを判断することも可能である。「表示されるか否かを示す情報」とは、例えば、後に詳述するアイコン表示有無情報である。また、前記コンテンツ情報取得部（０１１１）にてコンテンツ情報が取得されるタイミングと連動アイコン情報取得部にて連動アイコン情報が取得されるタイミングは異なっていても構わない。なお、コンテンツと連動アイコンの表示における連動については、後の表示部（０１１３）の説明にて詳述する。また、連動アイコン情報の取得方法は、有線通信によってもよいし無線通信によってもよい。無線通信であれば、例えば、Ｂｌｕｅｔｏｏｔｈ（登録商標）や赤外線などの不可視光線でもよいし、可視光線によってもよい。また、連動アイコン情報取得部の具体的な処理としては、例えば、映像入力端子等の入力インタフェースを介して入力された画像データ等が、ＨＤＤ、ＲＡＭ等の所定の記憶領域に格納されることにより実現される。また、連動アイコン情報取得部はこのような処理をＣＰＵに実行させるためのプログラムを含んでいてもよい。
【００１４】
「表示部」（０１１３）は、コンテンツと、前記コンテンツと連動する連動アイコンを一の領域に表示する機能を有する。「コンテンツと連動する」とは、主にはコンテンツが表示部に表示される際に同時に表示されることを指すが、必ずしも同時に表示されない場合もあり得る。例えば、コンテンツが先に表示され、遅れて連動アイコンが表示されるような場合である。また、同時に表示される場合には、一つの画像として合成されて表示される場合と、別々の画像を重ねる等して表示される場合が想定される。コンテンツと連動アイコンが同時に表示されることにより、コンテンツの視聴者にとっても連動アイコンを視認することが容易となる。また、連動アイコンを表示するためのディスプレイ等の表示機構を別途設ける必要がないので便利である。また、連動アイコンが表示されている場合は、表示部の表示形式の変更が可能であることを示す。また、後述の判断部（０１１６）において詳述するように、前記連動アイコンが表示されている場合と表示されていない場合では、後述の信号受信部（０１１４）において受信する信号が所定の条件を満たす信号であってもコンテンツ処理装置における処理が変化するようになっていてもよい。例えば、前記連動アイコンが表示されていない場合に利用者がリモコン等の「決定」ボタンを押下しても何も実行されないが、前記連動アイコンが表示されている場合には後述の表示形式変更部（０１１７）において表示部における表示形式を変更する、等となっているような場合である。「アイコン」とは、キャラクターや文字などにより表現されるものであって画像として表示され、さらにクリック、ドラッグ、ドロップ等ができるようになっていてもよい。「一の領域」とは、任意の領域という意味である。「領域」とは、コンテンツが連続的に表示されている範囲を指し、例えば、コンテンツがコンピュータのウインドウ全体に渡って表示されている場合であればウインドウ全体、コンテンツがテレビのディスプレイに表示されている場合であればディスプレイのコンテンツ表示可能部分、等が該当する。表示部は、主にディスプレイ等が該当する。ディスプレイ等の種類は特定のものに限定されない。例えば、ＴＦＴ（Ｔｈｉｎ  Ｆｉｌｍ  Ｔｒａｎｓｉｓｔｏｒ）などの液晶画面、有機ＥＬ（Ｅｌｅｃｔｒｏｌｕｍｉｎｅｓｃｅｎｃｅ）、無機ＥＬ、プラズマディスプレイ画面、ＣＲＴ（Ｃａｔｈｏｄｅ  Ｒａｙ  Ｔｕｂｅ）等、様々に想定される。表示部における処理は、具体的には、例えば、前記コンテンツ情報取得部（０１１１）と前記連動アイコン情報取得部（０１１２）によってＨＤＤ、ＲＡＭ等の所定の記憶領域に格納されているコンテンツや連動アイコンの画像データが、ＣＰＵによって格納されている所定の記憶領域から読み出されて、グラフィックカードに送られる。また、前記連動アイコン情報取得部（０１１２）によって所定の記憶領域に格納された連動アイコン情報が画像データではなく表示部（０１１３）に表示されるか否かを示す情報である場合であって、この情報が表示される旨を示す場合には、別途、所定の記憶領域に格納されている連動アイコンの画像データが読出されるようになっていればよい。グラフィックカードに送られた画像デー���は、ＧＰＵ（Ｇｒａｐｈｉｃ  Ｐｒｏｃｅｓｓｏｒ  Ｕｎｉｔ）によってグラフィックメモリに展開された後、必要に応じてアナログ変換する等してディスプレイ出力信号に変換され、ディスプレイに出力される。また、表示部はこのような処理をＣＰＵに実行させるためのプログラムを含んでもよい。
【００１５】
「信号受信部」（０１１４）は、信号を受信する機能を有する。「信号」とは、例えば、テレビのリモコン、携帯電話、着脱可能カーナビゲーションシステム、ＰＤＡ、電話子機等からの信号が想定される。より具体的には、例えば、チャンネル変更ボタン、選択ボタン、移動ボタン等が押下された場合に出力されるような信号である。信号を通信する方法は、有線によってもよいし無線によってもよい。無線であれば、例えばＢｌｕｅｔｏｏｔｈ（登録商標）、赤外線などの不可視光線でもよいし、可視光線によってもよい。また、信号は主にコンテンツ処理装置の外部から出力されることが想定されるが、例えば、コンテンツ処理装置の内部の他の処理機構から出力されてもよい。信号受信部における処理は、例えば、赤外線リモコンから信号が出力される場合には赤外線受光モジュールにより赤外線が受光される。受光された信号には、リモコンのどのキーが押下されたかを示す情報が含まれているので、この情報からリモコンのどのキーが押下されたかの結果を取得し所定の記憶領域に格納する。赤外線リモコンから出力された赤外線を受信する仕組みに関しては、一般的によく知られている技術であるので、ここでは詳細な説明は省略する。また、どのキーが押下されたかの結果とは、具体的には、例えば、「ｓｉｇｎａｌ＝"ｓｅｌｅｃｔ＿ｂｕｔｔｏｎ"」というようなデータにより表現される。ここで、「ｓｉｇｎａｌ」とはどのキーが押下されたかを示すプログラム上の変数である。即ち、この時点で信号が受信され解読されたことになる。また、信号受信部はこのような処理をＣＰＵに実行させるためのプログラムを含んでもよい。
【００１６】
「アイコン表示有無情報取得部」（０１１５）は、前記連動アイコンが前記表示部（０１１３）に表示されているか否かを示すアイコン表示有無情報を取得する機能を有する。「アイコン表示有無情報」とは、具体的には、例えば、「ｉｃｏｎ＿ｉｎｄｉｃａｔｉｏｎ＝"１"」というようなデータにより表現される。ここで、「ｉｃｏｎ＿ｉｎｄｉｃａｔｉｏｎ」とは連動アイコンが表示されているか否かを示すプログラム上の変数であり、この変数が「０」であれば連動アイコンが表示されていないことを、「１」であれば連動アイコンが表示されていることを示すとする。
【００１７】
図３は、アイコン表示有無情報取得部の具体例を示す。例えば、（ａ）のようにコンテンツ処理装置の表示部（０３１０）に連動アイコンが表示されたことをトリガーとしてメインメモリの所定の領域（０３２０）に格納されている変数ｉｃｏｎ＿ｉｎｄｉｃａｔｉｏｎの値を「１」に変更し、（ｂ）のように連動アイコンが非表示となったことをトリガーとしてメインメモリの所定の領域（０３２０）に格納されている変数ｉｃｏｎ＿ｉｎｄｉｃａｔｉｏｎの値を「０」に変更する。さらに具体的には、例えば、アイコン表示有無情報取得部はこのような処理を実行するためのプログラムを含み、プログラムは表示部に連動アイコンが表示されているか常時監視している。（ａ）のように連動アイコンが表示部に表示されるとプログラムはメインメモリの所定の領域に格納されている変数ｉｃｏｎ＿ｉｎｄｉｃａｔｉｏｎの値を「１」に変更する処理を実行し、実行結果を所定の領域に格納する。また、（ｂ）のように連動アイコンが表示部に非表示となると同様に、プログラムはメインメモリの所定の領域に格納されている変数ｉｃｏｎ＿ｉｎｄｉｃａｔｉｏｎの値を「０」に変更する処理を実行して実行結果を所定の領域に格納する。
【００１８】
「判断部」（０１１６）は、前記アイコン表示有無情報取得部（０１１５）が取得したアイコン表示有無情報が前記連動アイコンが前記表示部（０１１３）に表示されている旨を示す情報である場合に、前記信号受信部（０１１４）が受信した信号が所定の条件を満たすか判断する機能を有する。「アイコン表示有無情報が前記連動アイコンが前記表示部に表示されている旨を示す情報である」とは、具体的には、例えば、前述の変数ｉｃｏｎ＿ｉｎｄｉｃａｔｉｏｎの値が「１」であることを意味する。「所定の条件」とは、例えば、信号がコンテンツ処理装置のリモコン装置の所定のボタンが押下されたことを示す信号であること等を意味する。具体的には、「ｓｉｇｎａｌ＝"ｓｅｌｅｃｔ＿ｂｕｔｔｏｎ"」というようなデータにより表現される。また、後述の表示形式変更部（０１１７）において、信号が所定の条件を満たすとの判断結果である場合には、前記表示部（０１１３）の表示形式を変更するため、所定のボタンとは、例えば、ボタンが押下された場合には表示部の表示形式が変更されるようにコンテンツ処理装置において予め設定されているようなボタンであることが想定される。
【００１９】
図４は、判断部の具体例を示す。信号受信部（０４１０）にて取得された信号を解読した結果として、「ｓｉｇｎａｌ＝"ｓｅｌｅｃｔ＿ｂｕｔｔｏｎ"」という結果が取得されたとする。同様に、アイコン表示有無情報取得部（０４２０）にて取得されたアイコン表示有無情報として「ｉｃｏｎ＿ｉｎｄｉｃａｔｉｏｎ＝"１"」という情報が取得されたとする。判断部（０４３０）においては、まず、変数ｉｃｏｎ＿ｉｎｄｉｃａｔｉｏｎの値が「１」であるかどうかを判断する。ここでは、変数ｉｃｏｎ＿ｉｎｄｉｃａｔｉｏｎの値が「１」であるので、次の判断処理に移行する。次の判断処理としては、変数ｓｉｇｎａｌの値が「ｓｅｌｅｃｔ＿ｂｕｔｔｏｎ」であるかどうかを判断する。ここでは、変数ｓｉｇｎａｌの値が「ｓｅｌｅｃｔ＿ｂｕｔｔｏｎ」であるので、所定の条件を満たすとの判断結果を出力する。さらに具体的には、例えば、判断部はこのような処理を実行するためのプログラムを含み、メインメモリの所定の領域から変数ｉｃｏｎ＿ｉｎｄｉｃａｔｉｏｎの値を読出す処理をＣＰＵに命令するようになっていてもよい。ＣＰＵは命令に従って、所定の領域から変数ｉｃｏｎ＿ｉｎｄｉｃａｔｉｏｎの値を読出し、値が「１」であるか比較し、比較結果を所定の領域に格納する。ＣＰＵは格納された比較結果を所定の領域から読出し、比較結果が両者が等しいとの結果を示す情報であった場合には、変数ｓｉｇｎａｌの値を所定の領域から読み出す。また、コンテンツ処理装置のＨＤＤ、ＲＯＭ、ＲＡＭ等の所定の記憶領域には、前記所定の条件を示す情報が保持されており、例えば、この情報が「ｓｅｌｅｃｔ＿ｂｕｔｔｏｎ」という値であったとする。ＣＰＵはこの情報を所定の記憶領域から読出し、読出した変数ｓｉｇｎａｌの値と比較し、比較結果を所定の領域に格納する。ＣＰＵは格納された比較結果を所定の領域から読出し、比較結果が両者が等しいとの結果を示す情報であった場合には、所定の条件を満たすとの判断結果を所定の領域に格納する。判断結果とは、具体的には、例えば、「ｄｅｃｉｓｉｏｎ＝"１"」というようなデータにより表現される。ここで、「ｄｅｃｉｓｉｏｎ」とは判断結果を示すプログラム上の変数であり、この変数が「０」であれば所定の条件を満たさないとの判断結果であることを、「１」であれば所定の条件を満たすとの判断結果であることを示すとする。即ち、この時点で判断結果が出力されたことになる。
【００２０】
「表示形式変更部」（０１１７）は、前記判断部（０１１６）での判断結果が所定の条件を満たすとの判断結果である場合に、前記表示部（０１１３）の表示形式を変更するための機能を有する。「判断結果が所定の条件を満たす」とは、具体的には、例えば、前述の変数ｄｅｃｉｓｉｏｎの値が「１」であることを意味する。「表示形式を変更する」とは、例えば、コンテンツを表示している一の領域のサイズを拡大縮小したり、前記表示部（０１１３）に新たな領域を追加したりすること等を意味する。また、表示形式を変更する際の各領域のサイズや位置等は一定でなくともよい。例えば、表示部に表示されているコンテンツに応じて変わるようになっていてもよい。例えば、新たな領域を追加する場合には、コンテンツがテレビ番組であれば番組のスポンサー会社の製品が表示されている部分を避けるようにして領域が追加されるようになっていると、製品の表示を妨げることなく領域を追加することができ、より好適であると思われる。また、各領域のサイズや位置等の表示形式に関する情報は、コンテンツ処理装置の内部に保持されていてもよいし、外部から取得するようになっていてもよい。例えば、コンテンツ処理装置に表示形式情報を提供するような外部のサーバ装置にてコンテンツ処理装置ごとに表示形式情報を保持していれば、コンテンツ処理装置ごと、又はコンテンツ処理装置のユーザごとに適した表示形式に変更する等が可能となる。
【００２１】
図５は、表示形式の変更例を示す。初期状態として、表示部（０５１０）の一の領域にコンテンツ（０５２０）と連動アイコン（０５３０）が表示されているとする。（ａ）、（ｂ）は表示形式が変更された場合の例である。（ａ）は、コンテンツが拡大表示された場合の一例である。また、この状態においてコンテンツ処理装置の利用者によりリモコンのボタン等が押下されて信号が受信された場合には、さらに拡大して表示するようになっていてもよい。また、（ｂ）は、新たな領域（０５４０）が追加されコンテンツ以外の情報が表示される場合の一例である。コンテンツはそのままの表示倍率にて表示され新たな領域（０５４０）が追加される部分が削除されて表示されてもよいし、元のコンテンツ全体が視聴できるように縮小されて表示されてもよい。また、コンテンツ中にコンテンツのスポンサー会社の製品等が表示されているような場合には、スポンサー会社の製品が表示されている部分が領域中のどの位置にあるか等の情報を保持する等により、製品の表示を妨げないように新たな領域（０５４０）を追加することができる。また、新たな領域（０５４０）は、何も表示されないような領域であってもよい。さらに具体的には、例えば、表示形式変更部はこのような処理を実行するためのプログラムを含み、プログラムはメインメモリの所定の領域に格納されている変数ｄｅｃｉｓｉｏｎの値が「１」に変更されたことをトリガーとして、ＣＰＵにＨＤＤ、ＲＡＭ等の所定の記憶領域に保持されている表示形式の変更に関する情報（コンテンツの拡大率や縮小率、追加領域の追加位置やサイズ等）を読出す処理を命令するようになっていてもよい。ＣＰＵは命令に従って、所定の記憶領域から情報を読出す。また、表示されているコンテンツの画像データを所定の領域から読出し、読出した表示形式の変更に関する情報に基づいて画像の拡大、縮小、切り取り等のための画像データの処理を実行して編集する。また、必要に応じて所定の領域に保持されている新たな領域に表示する情報の画像データ等を読出し、編集した画像データとの合成処理を実行する。この新たな領域に表示する情報の画像データは、例えば、前記表示部にてコンテンツの画像データを取得する際に、コンテンツの画像データと関連付けられて同時に取得されるようになっていてもよいし、新たな領域が追加されたことをトリガーとして外部から取得される等となっていてもよい。このようにして生成された画像データは、ＧＰＵによってグラフィックメモリに展開された後、必要に応じてアナログ変換する等してディスプレイ出力信号に変換され、ディスプレイに出力される。
【００２２】
（実施形態１：処理の流れ）
【００２３】
図６は、本実施形態に係るコンテンツ提供システムにおける処理の流れを示すフロー図を例示する。
【００２４】
最初に、コンテンツ情報を取得する。この処理はコンテンツ情報取得部によって実行される（コンテンツ情報取得ステップ  Ｓ０６０１）。
【００２５】
次に、連動アイコン情報を取得する。この処理は連動アイコン情報取得部によって実行される（連動アイコン情報取得ステップ  Ｓ０６０２）。
【００２６】
次に、コンテンツと、コンテンツと連動する連動アイコンを一の領域に表示する。この処理は表示部によって実行される（表示ステップ  Ｓ０６０３）。
【００２７】
次に、信号を受信する。この処理は信号受信部によって実行される（信号受信ステップ  Ｓ０６０４）。
【００２８】
次に、連動アイコンが前記表示ステップ（Ｓ０６０３）にて表示されているか否かを示すアイコン表示有無情報を取得する。この処理はアイコン表示有無情報取得部によって実行される（アイコン表示有無情報取得ステップ  Ｓ０６０５）。
【００２９】
次に、前記アイコン表示有無情報取得ステップ（Ｓ０６０５）にて取得したアイコン表示有無情報が連動アイコンが前記表示ステップ（Ｓ０６０３）にて表示されている旨を示す情報であるか表示されていない旨を示す情報であるか判断する。ここでの判断が表示されている旨を示す情報であるとの判断であった場合には、後述の信号判断ステップ（Ｓ０６０７）に移行する。ここでの判断が表示されていない旨を示す情報であるとの判断であった場合には、処理を終了する。この処理は判断部によって実行される（アイコン表示有無判断ステップ  Ｓ０６０６）。
【００３０】
次に、前記アイコン表示有無判断ステップ（Ｓ０６０６）における判断結果が連動アイコンが表示されている旨を示す情報であるとの判断であった場合には、前記信号受信ステップ（Ｓ０６０４）にて受信した信号が所定の条件を満たすか判断する。ここでの判断が所定の条件を満たしているとの判断であった場合には、後述の表示形式変更ステップ（Ｓ０６０８）に移行する。ここでの判断が所定の条件を満たしていないとの判断であった場合には、処理を終了する。この処理は判断部によって実行される（信号判断ステップ  Ｓ０６０７）。
【００３１】
最後に、前記信号判断ステップ（Ｓ０６０７）における判断が所定の条件を満たしているとの判断であった場合には、前記表示ステップ（Ｓ０６０３）における表示形式を変更する。この処理は表示形式変更部によって実行される（表示形式変更ステップ  Ｓ０６０８）。
【００３２】
（実施形態１：効果）
【００３３】
本実施形態に係るコンテンツ提供システムのコンテンツ処理装置は、コンテンツと、前記コンテンツと連動する連動アイコンを一の領域に表示する表示部を有し、連動アイコンが前記表示部に表示されている場合に受信した信号が所定の条件を満たす場合には、前記表示部の表示形式を変更する機能を有する。表示形式の変更を行うことにより、よりコンテンツを見やすくしたり、コンテンツ以外の情報を表示する等が可能である。さらには、テレビ番組のスポンサー会社の製品広告などを表示することにより、宣伝効果等を期待することもできる。
（実施形態２）
【００３４】
（実施形態２：概要）
【００３５】
本実施形態は、実施形態１に係るコンテンツ処理装置の機能に加え、ボタンを有し、前記ボタンの押下に連動して前記所定の条件を満たす信号を出力する機能を有するリモコン装置をさらに有するコンテンツ提供システムに関する。
【００３６】
（実施形態２：構成）
【００３７】
本実施形態に係るコンテンツ提供システムの機能ブロックを図７に例示する。図７に示すコンテンツ提供システムは、「コンテンツ処理装置」（０７１０）と、「リモコン装置」（０７２０）とを有する。前記コンテンツ処理装置（０７１０）は、「コンテンツ情報取得部」（０７１１）と、「連動アイコン情報取得部」（０７１２）と、「表示部」（０７１３）と、「信号受信部」（０７１４）と、「アイコン表示有無情報取得部」（０７１５）と、「判断部」（０７１６）と、「表示形式変更部」（０７１７）とを有する。前記コンテンツ処理装置（０７１０）の構成に関しては、実施形態１に係るコンテンツ処理装置と同様であるのでここでの説明は省略する。また、前記リモコン装置（０７２０）は、「ボタン」（０７２１）と、「信号出力部」（０７２２）とを有する。前記リモコン装置（０７２０）は、前記コンテンツ処理装置（０７１０）に対して信号が出力可能な電子機器であればよく、具体的には、例えば、テレビのリモコン、携帯電話、着脱可能カーナビゲーションシステム、ＰＤＡ、電話子機等が該当する。
【００３８】
「ボタン」（０７２１）は、例えば、テレビのリモコンのボタンや携帯電話のキー等のような機械的なボタンであってもよいし、リモコン装置がタッチパネルを備えたディスプレイを有していれば、ディスプレイに表示されタッチパネルを介して触れて選択することにより操作可能なボタン等であってもよい。
【００３９】
「信号出力部」（０７２２）は、前記ボタン（０７２１）の押下に連動して前記所定の条件を満たす信号を出力する機能を有する。「前記ボタンの押下」とは、前記ボタン（０７２１）が機械的なボタンであれば押し下げられる場合等を意味するが、例えば、前記ボタン（０７２１）がタッチパネルを備えたディスプレイに表示されるボタンであればタッチパネルを介して触れられて選択されること等を意味する。「前記ボタンの押下に連動して前記所定の条件を満たす信号を出力する」とは、前記ボタン（０７２１）が押下されたことをトリガーとして、前記所定の条件を満たす信号を出力する、という意味である。また、信号の出力先は、主に、前記コンテンツ処理装置（０７１０）であるが、直接的に出力されなくとも間接的に他の電子機器等を介して出力されてもよい。また、信号を通信する方法は、有線によってもよいし無線によってもよい。無線であれば、例えばＢｌｕｅｔｏｏｔｈ（登録商標）、赤外線などの不可視光線でもよいし、可視光線によってもよい。信号出力部における処理は、例えば、前記リモコン装置（０７２０）が赤外線リモコンである場合には、前記ボタン（０７２１）においてボタンが押下されたことをトリガーとして、押下されたボタンに対応する信号を赤外線にて出力する。赤外線リモコンから赤外線を出力する仕組みに関しては、一般的によく知られている技術であるので、ここでは詳細な説明は省略する。
【００４０】
（実施形態２：処理の流れ）
【００４１】
図８は、本実施形態に係るコンテンツ提供システムにおける処理の流れを示すフロー図を例示する。
【００４２】
最初に、コンテンツ処理装置において、コンテンツ情報を取得する。この処理はコンテンツ情報取得部によって実行される（コンテンツ情報取得ステップ  Ｓ０８０１）。
【００４３】
次に、連動アイコン情報を取得する。この処理は連動アイコン情報取得部によって実行される（連動アイコン情報取得ステップ  Ｓ０８０２）。
【００４４】
次に、コンテンツと、コンテンツと連動する連動アイコンを一の領域に表示する。この処理は表示部によって実行される（表示ステップ  Ｓ０８０３）。
【００４５】
次に、リモコン装置において、ボタンが押下される。この処理はボタンによって実行される（ボタン押下ステップ  Ｓ０８０４）。
【００４６】
次に、前記ボタン押下ステップ（Ｓ０８０４）にて実行されたボタンの押下に連動して所定の条件を満たす信号を出力する。この処理は信号出力部によって実行される（信号出力ステップ  Ｓ０８０５）。
【００４７】
次に、コンテンツ処理装置において、前記信号出力ステップ（Ｓ０８０５）にて出力された信号を受信する。この処理は信号受信部によって実行される（信号受信ステップ  Ｓ０８０６）。
【００４８】
次に、連動アイコンが前記表示ステップ（Ｓ０８０３）にて表示されているか否かを示すアイコン表示有無情報を取得する。この処理はアイコン表示有無情報取得部によって実行される（アイコン表示有無情報取得ステップ  Ｓ０８０７）。
【００４９】
次に、前記アイコン表示有無情報取得ステップ（Ｓ０８０７）にて取得したアイコン表示有無情報が連動アイコンが前記表示ステップ（Ｓ０８０３）にて表示されている旨を示す情報であるか表示されていない旨を示す情報であるか判断する。ここでの判断が表示されている旨を示す情報であるとの判断であった場合には、後述の信号判断ステップ（Ｓ０８０９）に移行する。ここでの判断が表示されていない旨を示す情報であるとの判断であった場合には、処理を終了する。この処理は判断部によって実行される（アイコン表示有無判断ステップ  Ｓ０８０８）。
【００５０】
次に、前記アイコン表示有無判断ステップ（Ｓ０８０８）における判断結果が連動アイコンが表示されている旨を示す情報であるとの判断であった場合には、前記信号受信ステップ（Ｓ０８０６）にて受信した信号が所定の条件を満たすか判断する。ここでの判断が所定の条件を満たしているとの判断であった場合には、後述の表示形式変更ステップ（Ｓ０８１０）に移行する。ここでの判断が所定の条件を満たしていないとの判断であった場合には、処理を終了する。この処理は判断部によって実行される（信号判断ステップ  Ｓ０８０９）。
【００５１】
最後に、前記信号判断ステップ（Ｓ０８０９）における判断結果が所定の条件を満たしているとの判断であった場合には、前記表示ステップ（Ｓ０８０３）における表示形式を変更する。この処理は表示形式変更部によって実行される（表示形式変更ステップ  Ｓ０８１０）。
【００５２】
（実施形態２：効果）
【００５３】
本実施形態に係るコンテンツ提供システムは、実施形態１に係るコンテンツ提供システムの機能に加え、ボタンを有し、前記ボタンの押下に連動して前記所定の条件を満たす信号を出力する機能を有するリモコン装置をさらに有する。これにより、リモコン装置から出力された信号に基づいて、前記表示部の表示形式を変更することが可能である。
（実施形態３）
【００５４】
（実施形態３：概要）
【００５５】
本実施形態は、実施形態１又は２に係るコンテンツ提供システムの機能に加え、前記表示形式変更部は、表示形式の変更として、前記表示部に新たなウインドウである新ウインドウを追加する機能を有するコンテンツ提供システムに関する。
【００５６】
（実施形態３：構成）
【００５７】
本実施形態に係るコンテンツ提供システムの機能ブロックを図９に例示する。本実施形態に係るコンテンツ提供システムの構成は、実施形態１又は２に係るコンテンツ提供システムの構成に「ウインドウ追加手段」（０９１８）を加えた構成となる。図９においては、実施形態２に係るコンテンツ提供システムの構成に前記ウインドウ追加手段（０９１８）を加えた構成を例示している。コンテンツ提供システムは、「コンテンツ処理装置」（０９１０）と、「リモコン装置」（０９２０）とを有する。前記コンテンツ処理装置（０９１０）は、「コンテンツ情報取得部」（０９１１）と、「連動アイコン情報取得部」（０９１２）と、「表示部」（０９１３）と、「信号受信部」（０９１４）と、「アイコン表示有無情報取得部」（０９１５）と、「判断部」（０９１６）と、「表示形式変更部」（０９１７）とを有する。また、前記表示形式変更部（０９１７）は、「ウインドウ追加手段」（０９１８）を有する。また、前記リモコン装置（０９２０）は、「ボタン」（０９２１）と、「信号出力部」（０９２２）とを有する。
【００５８】
「ウインドウ追加手段」（０９１８）は、表示形式の変更として、前記表示部（０９１３）に新たなウインドウである新ウインドウを追加する機能を有する。「ウインドウ」とは、コンテンツや情報等が表示可能である領域を意味する。
【００５９】
図１０は、ウインドウの具体例である。（ａ）は一般的なコンピュータ端末装置におけるウインドウの一例であり、（ｂ）はインターネット接続機能付きデジタルテレビにおけるウインドウの一例である。領域１０１０はウインドウ自体を制御するための機能ボタン等を含む領域であり、領域１０２０はコンテンツや情報等を表示する領域である。ウインドウは、大きく分けると領域１０１０と領域１０２０により構成されている。また、図５（ｂ）の０５４０のように領域の境界線によってのみ構成されるものであってもよい。また、ウインドウの形状は図５（ｂ）の０５４０のような長方形でなくともよい。例えば、Ｌ字型やコの字型になっていてもよい。さらに、新ウインドウは複数であってもよい。例えば、コンテンツが表示される領域を挟むようにして２つの新ウインドウが追加されるようになっていてもよい。また、複数のウインドウが重なるように表示されてもよい。また、ウインドウのサイズ、形状、位置等は一定でなくともよい。例えば、表示部に表示されているコンテンツに応じて変わるようになっていてもよい。また、ウインドウのサイズ、形状、位置等の情報は、コンテンツ処理装置の内部に保持されていてもよいし、外部から取得するようになっていてもよい。例えば、コンテンツ処理装置にウインドウ情報を提供するような外部のサーバ装置にてコンテンツ処理装置ごとにウインドウ情報を保持していれば、コンテンツ処理装置ごと、又はコンテンツ処理装置のユーザごとに適したウインドウを追加する等が可能となる。また、新ウインドウには何も情報が表示されなくてもよい。さらに、例えば、コンテンツの進行に応じて情報が表示されたり非表示となったりする等してもよい。
【００６０】
図１１は、新ウインドウの追加例を示す。初期状態として、表示部（１１１０）の一の領域にドラマのコンテンツ（１１２０）と連動アイコン（１１３０）が表示されているとする。（ａ）、（ｂ）、（ｃ）は新ウインドウが追加された場合の例である。（ａ）は、１つの新ウインドウが追加され、元の領域にはコンテンツがそのままの表示倍率にて表示され、新ウインドウには放送番組に関する情報が表示される場合である。コンテンツ中にコンテンツのスポンサー会社の製品等が表示されているような場合には、ドラマ番組のスポンサー会社の製品が表示されている部分が領域中のどの位置にあるか等の情報を保持する等して、製品の表示を妨げないように新ウインドウは追加されるようになっているとより好適であると思われる。また、（ｂ）は、元のコンテンツ（１１２０）と連動アイコン（１１３０）を縦横比率を保持して縮小表示し、縮小表示したコンテンツの表示領域を囲むように新ウインドウを追加して情報を表示する場合である。このような場合は、新ウインドウ追加時にコンテンツの表示を妨げることはないため、新ウインドウを追加する領域のサイズと位置が決定されていれば常に同じように新ウインドウを追加することができる。また、連動アイコンが表示されているので、さらに、（ｃ）のように新ウインドウを追加して情報を表示することが可能となっていてもよい。さらに具体的には、例えば、ウインドウ追加手段はこのような処理を実行するためのプログラムを含み、プログラムはメインメモリの所定の領域に格納されている変数ｄｅｃｉｓｉｏｎの値が変更されたことをトリガーとして、ＣＰＵにＨＤＤ、ＲＡＭ等の所定の記憶領域に保持されている新ウインドウのサイズや追加位置等の情報、ウインドウの形態が図１０の（ａ）、（ｂ）のような形態であればウインドウを構成する機能ボタン等の画像データ等を読出す処理を命令するようになっていてもよい。ＣＰＵは命令に従って、所定の記憶領域から情報を読出す。また、表示されているコンテンツの画像データを所定の領域から読出し、読出したサイズ等の情報に合わせて不要な画像データの削除等を実行して編集する。また、必要に応じて所定の領域に保持されている新ウインドウに表示する情報の画像データを読出す。この情報の画像データは、例えば、前記表示部にてコンテンツの画像データを取得する際に、コンテンツの画像データと関連付けられて同時に取得されるようになっていてもよいし、新たな領域が追加されたことをトリガーとして外部から取得される等となっていてもよい。このようにして取得された新ウインドウに表示する情報の画像データと編集したコンテンツの画像データとが合成され、前記表示部に表示可能であるような画像データが生成される。生成された画像データは、ＧＰＵによってグラフィックメモリに展開された後、必要に応じてアナログ変換する等してディスプレイ出力信号に変換され、ディスプレイに出力される。
【００６１】
（実施形態３：処理の流れ）
【００６２】
本実施形態に係るコンテンツ提供システムにおける処理の流れは、実施形態１又は２に係るコンテンツ提供システムにおける処理の流れと同様である。ただし、前記表示形式変更ステップにおいて表示ステップにおける表示形式を変更する際に、表示形式の変更として、新たなウインドウである新ウインドウを追加することを特徴とする。
【００６３】
（実施形態３：効果）
【００６４】
本実施形態に係るコンテンツ提供システムは、実施形態１又は２に係るコンテンツ提供システムの機能に加え、前記表示形式変更部は、表示形式の変更として、前記表示部に新たなウインドウである新ウインドウを追加する機能を有する。これにより、新ウインドウにさらなる情報を表示して、コンテンツの視聴者に対してより有用な情報等を提供することも可能である。
（実施形態４）
【００６５】
（実施形態４：概要）
【００６６】
本実施形態は、実施形態３に係るコンテンツ提供システムの機能に加え、前記ウインドウ追加手段にて新ウインドウが追加された場合に、通信を開始して宣伝広告情報を取得し、取得された宣伝広告情報を、前記ウインドウ追加手段にて追加された新ウインドウに表示する機能を有するコンテンツ提供システムに関する。
【００６７】
（実施形態４：構成）
【００６８】
本実施形態に係るコンテンツ提供システムの機能ブロックを図１２に例示する。本実施形態に係るコンテンツ提供システムの構成は、実施形態３に係るコンテンツ提供システムの構成に「宣伝広告情報通信取得部」（１２１９）と「宣伝広告情報表示部」（１２２０）を加えた構成となる。コンテンツ提供システムは、「コンテンツ処理装置」（１２１０）と、「リモコン装置」（１２３０）とを有する。前記コンテンツ処理装置（１２１０）は、「コンテンツ情報取得部」（１２１１）と、「連動アイコン情報取得部」（１２１２）と、「表示部」（１２１３）と、「信号受信部」（１２１４）と、「アイコン表示有無情報取得部」（１２１５）と、「判断部」（１２１６）と、「表示形式変更部」（１２１７）と、「宣伝広告情報通信取得部」（１２１９）と、「宣伝広告情報表示部」（１２２０）とを有する。また、前記表示形式変更部（１２１７）は、「ウインドウ追加手段」（１２１８）を有する。また、前記リモコン装置（１２３０）は、「ボタン」（１２３１）と、「信号出力部」（１２３２）とを有する。
【００６９】
「宣伝広告情報通信取得部」（１２１９）は、前記ウインドウ追加手段（１２１８）にて新ウインドウが追加された場合に、通信を開始して宣伝広告情報を取得する機能を有する。即ち、宣伝広告情報通信取得部は、前記ウインドウ追加手段（１２１８）にて新ウインドウが追加されたことをトリガーとして、宣伝広告情報を取得する。取得元は、コンテンツ処理装置の外部であってもよいし内部であってもよい。「宣伝広告情報」とは、コマーシャルやＰＲ等の宣伝広告に関する情報であり、具体的には、会社の紹介、製品の紹介、サービスの紹介等の内容を持つ情報である。宣伝広告情報は、動画であってもよいし静止画であってもよい。宣伝広告情報は、特に表示部に表示されているコンテンツに関連する宣伝広告情報であれば、より宣伝効果が高まると思われる。例えば、新ウインドウが追加されたタイミングに応じて、コンテンツのシーンによって表示する宣伝広告情報が変化する等となっているとより有用である。「コンテンツに関連する」とは、例えば、コンテンツのスポンサー会社の製品に関する宣伝広告情報であったり、コンテンツ中に表示されている製品に関する宣伝広告情報であるような場合を意味する。宣伝広告情報の取得は、例えば、前記コンテンツ情報取得部（１２１１）にてコンテンツ情報を取得する際に、宣伝広告情報の取得元へのリンク情報を同時に取得しておき、前記ウインドウ追加手段（１２１８）にて新ウインドウが追加されたことをトリガーとして、リンク情報で示される取得元へ接続し宣伝広告情報を取得する方法等が考えられる。さらに具体的には、例えば、宣伝広告情報通信取得部は、このような処理を実行するためのプログラムを含み、プログラムはメインメモリの所定の領域に格納されている新ウインドウが追加されたことをトリガーとして（又は、変数ｄｅｃｉｓｉｏｎの値が変更されたことをトリガーとしてもよい）、ＣＰＵにＨＤＤ、ＲＡＭ、等の所定の記憶領域に保持されている宣伝広告情報の取得元へのリンク情報等を読出す処理を命令するようになっていてもよい。ＣＰＵは命令に従って、所定の記憶領域からリンク情報等を読出す。読出したリンク情報等に基づいてネットワークカード等のＩ／Ｏを介して宣伝広告情報の取得元への接続を実行する。接続が成功したら、宣伝広告情報を通信によりダウンロードし、所定の記憶領域に格納する。即ち、この時点で宣伝広告情報が取得されたことになる。また、コンテンツに関連付けられている宣伝広告情報を取得する場合であれば、コンテンツを取得する際にコンテンツと関連付けられている宣伝広告情報に関する情報も同時に取得しておき、所定の記憶領域に格納しておく。例えば、新ウインドウが追加されたタイミングに応じて、コンテンツのシーンによって表示する宣伝広告情報が変化する場合であれば、シーン番号とそのシーンにて表示する宣伝広告情報の識別子を関連付けてデータベース等として所定の記憶領域に保持しておく。その後、新ウインドウが追加された時点で、そのシーンに関連付けられている宣伝広告情報の識別子をデータベース等に問い合わせて読出し、読出した識別子により宣伝広告情報の取得元から宣伝広告情報を取得する。
【００７０】
「宣伝広告情報表示部」（１２２０）は、前記宣伝広告情報通信取得部（１２１９）にて取得された宣伝広告情報を、前記ウインドウ追加手段（１２１８）にて追加された新ウインドウに表示する機能を有する。宣伝広告情報を新ウインドウに表示するタイミングは、新ウインドウが追加された後であればいつでもよい。例えば、新ウインドウが追加された時であってもよいし、コンテンツの視聴者が随時指定することにより表示される等となっていてもよい。
【００７１】
図１３は、宣伝広告情報の表示例を示す。初期状態として、表示部（１３１０）の一の領域にドラマのコンテンツ（１３２０）と連動アイコン（１３３０）が表示されているとする。図１３（ａ）は、前記ウインドウ追加手段にて、元のコンテンツ（１３２０）と連動アイコン（１３３０）を縦横比率を保持して縮小表示し、縮小表示したコンテンツの表示領域を囲むように新ウインドウが追加された場合である。例えば、この新ウインドウに宣伝広告情報としてドラマ中の登場人物が持っている番組スポンサー会社の携帯電話に関する情報が表示される。宣伝広告情報は、必ずしも表示されているコンテンツと関連づけられている必要はないが、このようにコンテンツと関連性を持った宣伝広告情報が表示されれば、コンテンツを視聴している視聴者の興味を引くことができる可能性も高く、宣伝効果をさらに高めることができると思われる。さらに、図１３（ｂ）のように新ウインドウを追加して製品の詳細情報等を表示することが可能となっていてもよい。また、宣伝広告情報表示部の処理は、具体的には、例えば、プログラムを含み、このプログラムは、ＣＰＵに前記宣伝広告情報通信取得部によって所定の記憶領域に格納された宣伝広告情報を読出し、さらに所定の記憶領域から新ウインドウのサイズや追加位置等の情報、ウインドウを構成する機能ボタン等の画像データ等、を読出す処理を命令するようになっていてもよい。ＣＰＵは命令に従って、これらの情報を所定の記憶領域から読出し、読出した情報に基づいて宣伝広告情報を表示するための画像処理等を実行し、所定の記憶領域に格納する。以降、前記表示部での処理によって宣伝広告情報が新ウインドウに表示される。
【００７２】
（実施形態４：処理の流れ）
【００７３】
図１４は、本実施形態に係るコンテンツ提供システムにおける処理の流れを示すフロー図を例示する。
【００７４】
最初に、コンテンツ処理装置において、コンテンツ情報を取得する。この処理はコンテンツ情報取得部によって実行される（コンテンツ情報取得ステップ  Ｓ１４０１）。
【００７５】
次に、連動アイコン情報を取得する。この処理は連動アイコン情報取得部によって実行される（連動アイコン情報取得ステップ  Ｓ１４０２）。
【００７６】
次に、コンテンツと、コンテンツと連動する連動アイコンを一の領域に表示する。この処理は表示部によって実行される（表示ステップ  Ｓ１４０３）。
【００７７】
次に、リモコン装置において、ボタンが押下される。この処理はボタンによって実行される（ボタン押下ステップ  Ｓ１４０４）。
【００７８】
次に、前記ボタン押下ステップ（Ｓ１４０４）にて実行されたボタンの押下に連動して所定の条件を満たす信号を出力する。この処理は信号出力部によって実行される（信号出力ステップ  Ｓ１４０５）。
【００７９】
次に、コンテンツ処理装置において、前記信号出力ステップ（Ｓ１４０５）にて出力された信号を受信する。この処理は信号受信部によって実行される（信号受信ステップ  Ｓ１４０６）。
【００８０】
次に、連動アイコンが前記表示ステップ（Ｓ１４０３）にて表示されているか否かを示すアイコン表示有無情報を取得する。この処理はアイコン表示有無情報取得部によって実行される（アイコン表示有無情報取得ステップ  Ｓ１４０７）。
【００８１】
次に、前記アイコン表示有無情報取得ステップ（Ｓ１４０７）にて取得したアイコン表示有無情報が連動アイコンが前記表示ステップ（Ｓ１４０３）にて表示されている旨を示す情報であるか表示されていない旨を示す情報であるか判断する。ここでの判断が表示されている旨を示す情報であるとの判断であった場合には、後述の信号判断ステップ（Ｓ１４０９）に移行する。ここでの判断が表示されていない旨を示す情報であるとの判断であった場合には、処理を終了する。この処理は判断部によって実行される（アイコン表示有無判断ステップ  Ｓ１４０８）。
【００８２】
次に、前記アイコン表示有無判断ステップ（Ｓ１４０８）における判断結果が連動アイコンが表示されている旨を示す情報であるとの判断であった場合には、前記信号受信ステップ（Ｓ１４０６）にて受信した信号が所定の条件を満たすか判断する。ここでの判断が所定の条件を満たしているとの判断であった場合には、後述のウインドウ追加ステップ（Ｓ１４１０）に移行する。ここでの判断が所定の条件を満たしていないとの判断であった場合には、処理を終了する。この処理は判断部によって実行される（信号判断ステップ  Ｓ１４０９）。
【００８３】
次に、前記信号判断ステップ（Ｓ１４０９）における判断結果が所定の条件を満たしているとの判断であった場合には、前記表示ステップ（Ｓ１４０３）における表示形式の変更として、新ウインドウを追加する。この処理はウインドウ追加手段によって実行される（ウインドウ追加ステップ  Ｓ１４１０）。
【００８４】
次に、前記ウインドウ追加ステップ（Ｓ１４１０）にて新ウインドウが追加された場合に、通信を開始して宣伝広告情報を取得する。この処理は宣伝広告情報通信取得部によって実行される（宣伝広告情報通信取得ステップ  Ｓ１４１１）。
【００８５】
最後に、前記宣伝広告情報通信取得ステップ（Ｓ１４１１）にて取得された宣伝広告情報を、前記ウインドウ追加ステップ（Ｓ１４１０）にて追加された新ウインドウに表示する。この処理は宣伝広告情報表示部によって実行される（宣伝広告情報表示ステップ  Ｓ１４１２）。
【００８６】
（実施形態４：効果）
【００８７】
本実施形態に係るコンテンツ提供システムは、実施形態３に係るコンテンツ提供システムの機能に加え、前記ウインドウ追加手段にて新ウインドウが追加された場合に、通信を開始して宣伝広告情報を取得し、取得された宣伝広告情報を、前記ウインドウ追加手段にて追加された新ウインドウに表示する機能を有する。これにより、コンテンツの視聴者に対して有用な宣伝広告情報を提供することが可能である。さらに、表示部に表示しているコンテンツに関連付けて新ウインドウに宣伝広告情報を表示すると、さらに宣伝効果も高くなると思われる。
（実施形態５）
【００８８】
（実施形態５：概要）
【００８９】
本実施形態は、実施形態４に係るコンテンツ提供システムの機能に加え、コンテンツ処理装置を物理的に識別するための情報である機器識別情報を保持する機能を有し、前記宣伝広告情報通信取得部は、保持されている機器識別情報に基づいて前記宣伝広告情報を取得することを特徴とするコンテンツ提供システムに関する。
【００９０】
（実施形態５：構成）
【００９１】
本実施形態に係るコンテンツ提供システムの機能ブロックを図１５に例示する。本実施形態に係るコンテンツ提供システムの構成は、実施形態４に係るコンテンツ提供システムの構成に「機器識別情報保持部」（１５２１）を加えた構成となる。コンテンツ提供システムは、「コンテンツ処理装置」（１５１０）と、「リモコン装置」（１５３０）とを有する。前記コンテンツ処理装置（１５１０）は、「コンテンツ情報取得部」（１５１１）と、「連動アイコン情報取得部」（１５１２）と、「表示部」（１５１３）と、「信号受信部」（１５１４）と、「アイコン表示有無情報取得部」（１５１５）と、「判断部」（１５１６）と、「表示形式変更部」（１５１７）と、「宣伝広告情報通信取得部」（１５１９）と、「宣伝広告情報表示部」（１５２０）と、「機器識別情報保持部」（１５２１）とを有する。また、前記表示形式変更部（１５１７）は、「ウインドウ追加手段」（１５１８）を有する。また、前記リモコン装置（１５３０）は、「ボタン」（１５３１）と、「信号出力部」（１５３２）とを有する。
【００９２】
「機器識別情報保持部」（１５２１）は、コンテンツ処理装置を物理的に識別するための情報である機器識別情報を保持する機能を有する。「機器識別情報」とは、コンテンツ処理装置を他の装置と識別するためにコンテンツ処理装置ごとに独自に付される機器ＩＤ等を意味する。機器識別情報は、例えば、コンテンツ処理装置の製造番号等であってもよいし、何らかの規則性により別途付されるものであってもよい。機器識別情報保持部は、具体的には、例えば、ＨＤＤ、ＲＡＭ、ＲＯＭ等の所定の記憶領域に機器識別情報が保持されることにより実現される。また、耐タンパ領域に保持されていると、より望ましい。
【００９３】
また、前記宣伝広告情報通信取得部（１５１９）は、前記機器識別情報保持部（１５２１）に保持されている機器識別情報に基づいて前記宣伝広告情報を取得することを特徴とする。より具体的には、例えば、前記機器識別情報保持部によってＨＤＤ、ＲＡＭ、ＲＯＭ等の所定の記憶領域に保持されている機器識別情報が「ＵＶＷ００１」という内容の機器識別情報であったとすると、前記宣伝広告情報通信取得部は保持されている所定の記憶領域から「ＵＶＷ００１」という機器識別情報を読出す。また、ネットワークカード等のＩ／Ｏを介して宣伝広告情報の取得元への接続を実行する。接続が成功したら、読出した機器識別情報を宣伝広告情報の取得元に送信する。宣伝広告情報の取得元は、機器識別情報と宣伝広告情報とを関連付けた情報をデータベース等として所定の記憶領域に保持しており、このデータベース等を検索することによって送信された機器識別情報に関連付けられている宣伝広告情報を取得する。さらに、例えば、機器識別情報とコンテンツ処理装置の利用者の嗜好情報等とが関連付けられていると、利用者の嗜好に合わせて宣伝広告情報を取得することも可能となり宣伝効果もより高まると思われる。宣伝広告情報の取得元は、機器識別情報に関連付けられている宣伝広告情報を取得すると宣伝広告情報をコンテンツ処理装置に送信する。宣伝広告情報通信取得部は、送信された宣伝広告情報をネットワークカード等のＩ／Ｏを介して受信し、ＨＤＤ、ＲＡＭ等の所定の記憶領域に格納する。即ち、この時点で機器識別情報に基づいて前記宣伝広告情報が取得されたことになる。このような機能により、例えば、コンテンツ処理装置ごとに異なる宣伝広告情報を受信することが可能となる。
【００９４】
（実施形態５：処理の流れ）
【００９５】
本実施形態に係るコンテンツ提供システムにおける処理の流れは、実施形態４に係るコンテンツ提供システムにおける処理の流れと同様である。ただし、機器識別情報を保持し、前記宣伝広告情報通信取得ステップにおいては、保持している機器識別情報に基づいて前記宣伝広告情報を取得することを特徴とする。
【００９６】
（実施形態５：効果）
【００９７】
本実施形態に係るコンテンツ提供システムは、実施形態４に係るコンテンツ提供システムの機能に加え、コンテンツ処理装置を物理的に識別するための情報である機器識別情報を保持する機能を有し、前記宣伝広告情報通信取得部は、保持されている機器識別情報に基づいて前記宣伝広告情報を取得することを特徴とする。これにより、コンテンツ処理装置ごとに異なる宣伝広告情報を取得することが可能である。例えば、コンテンツ処理装置の利用者の嗜好に合わせた宣伝広告情報を取得し表示することによって、より宣伝効果を高める等の効果が期待できる。
（実施形態６）
【００９８】
（実施形態６：概要）
【００９９】
本実施形態は、実施形態４又は５のいずれか一に係るコンテンツ提供システムの構成に加え、宣伝広告情報を保持し、コンテンツ処理装置に対して宣伝広告情報を出力する宣伝広告提供サーバをさらに有するコンテンツ提供システムに関する。
【０１００】
（実施形態６：構成）
【０１０１】
本実施形態に係るコンテンツ提供システムの機能ブロックを図１９に例示する。本実施形態に係るコンテンツ提供システムの構成は、実施形態４又は５のいずれか一に係るコンテンツ提供システムの構成に「宣伝広告提供サーバ」（１９４０）を加えた構成となる。図１９においては、実施形態５に係るコンテンツ提供システムの構成に前記宣伝広告提供サーバ（１９４０）を加えた構成を例示している。コンテンツ提供システムは、「コンテンツ処理装置」（１９１０）と、「リモコン装置」（１９３０）と、「宣伝広告提供サーバ」（１９４０）とを有する。前記コンテンツ処理装置（１９１０）は、「コンテンツ情報取得部」（１９１１）と、「連動アイコン情報取得部」（１９１２）と、「表示部」（１９１３）と、「信号受信部」（１９１４）と、「アイコン表示有無情報取得部」（１９１５）と、「判断部」（１９１６）と、「表示形式変更部」（１９１７）と、「宣伝広告情報通信取得部」（１９１９）と、「宣伝広告情報表示部」（１９２０）と、「機器識別情報保持部」（１９２１）とを有する。また、前記表示形式変更部（１９１７）は、「ウインドウ追加手段」（１９１８）を有する。また、前記リモコン装置（１９３０）は、「ボタン」（１９３１）と、「信号出力部」（１９３２）とを有する。また、前記宣伝広告提供サーバ（１９４０）は、「宣伝広告情報保持部」（１９４１）と、「宣伝広告情報出力部」（１９４２）とを有する。
【０１０２】
「宣伝広告提供サーバ」（１９４０）は、サーバ型コンピュータなどにより実現することができる。宣伝広告提供サーバは、前記コンテンツ処理装置（１９１０）に対して宣伝広告情報を提供する役目を果たす。また、前記コンテンツ処理装置（１９１０）と前記宣伝広告提供サーバは、互いに通信を行なうが、この通信は公衆回線を使用してもよいし、非公衆回線を使用してもよい。通信方法は有線によってもよいし無線によってもよい。無線であれば、例えばＢｌｕｅｔｏｏｔｈ（登録商標）、赤外線などの不可視光線でもよいし、可視光線によってもよい。
【０１０３】
「宣伝広告情報保持部」（１９４１）は、宣伝広告情報を保持する機能を有する。図２０に、宣伝広告情報保持部の具体例を示す。宣伝広告情報保持ＤＢは、機器識別情報と宣伝広告情報を関連付けるためのデータベースであり、「コンテンツＩＤ」、「機器ＩＤ」、「ファイル名」、から構成されている。「コンテンツＩＤ」は、例えば、前記ウインドウ追加手段（１９１８）にて新ウインドウが追加された際に視聴されているコンテンツを識別するための情報である。「機器ＩＤ」は、機器識別情報に該当する。また、「ファイル名」は宣伝広告情報に該当する宣伝広告用の動画ファイル等のファイル名であるとする。すなわち、宣伝広告情報保持部は、図２０に例示するようなデータベースと、別途、ＨＤＤ、ＲＡＭ等の所定の記憶領域に保持されている宣伝広告用の動画ファイル等により実現されていることになる。また、図２０のように、機器識別情報と宣伝広告情報が関連付けられている場合には、コンテンツ処理装置ごとに異なる宣伝広告情報を出力すること等が可能となる（処理の具体例は、後に詳述）。
【０１０４】
「宣伝広告情報出力部」（１９４２）は、前記宣伝広告情報保持部（１９４１）に保持している宣伝広告情報を宣伝広告情報通信取得部（１９１９）に対して出力する機能を有する。例えば、前記宣伝広告情報保持部（１９４１）に図２０に例示するようなデータベースを利用して実現されているとする。コンテンツ処理装置（１９１０）の宣伝広告情報通信取得部（１９１９）より、コンテンツ識別情報と機器識別情報として、コンテンツＩＤ＝‘ＣＯＮＴＥＮＴ０２１０’、機器ＩＤ＝‘ＵＶＷ００１’、という情報が宣伝広告提供サーバ（１９４０）に対して出力されると、前記宣伝広告情報保持部（１９４１）の宣伝広告情報ＤＢより「ＣＯＮＴＥＮＴ０２１０Ｂ．ｍｐｇ」というファイル名が抽出される。これにより、宣伝広告情報として、「ＣＯＮＴＥＮＴ０２１０Ｂ．ｍｐｇ」というファイルが宣伝広告情報出力部から宣伝広告情報通信取得部（１９１９）に対して出力される。さらに具体的には、例えば、宣伝広告情報出力部は、このような処理を実行するためのプログラムを含み、プログラムはＨＤＤ、ＲＡＭ等の所定の記憶領域に保持されている図２０のようなデータベースに対し、ネットワークカード等のＩ／Ｏを介してコンテンツ処理装置から取得したコンテンツＩＤと機器ＩＤとによって問い合わせ、取得したファイル名をＲＡＭ等の所定の記憶領域に格納する。さらに、格納したファイル名を読出し、このファイル名にて特定される動画ファイル等を所定の記憶領域から読出す。読出した動画ファイル等は、ネットワークカード等のＩ／Ｏを介して出力される。なお、宣伝広告情報出力部における通信は、無線によっても有線によってもよい。無線であれば、例えば、Ｂｌｕｅｔｏｏｔｈ（登録商標）、赤外線などの不可視光線でもよいし、可視光線によってもよい。
【０１０５】
（実施形態６：処理の流れ）
【０１０６】
図２１は、本実施形態に係るコンテンツ提供システムにおける処理の流れを示すシーケンス図を例示する。
【０１０７】
最初に、コンテンツ処理装置において、コンテンツ情報を取得する。この処理はコンテンツ情報取得部によって実行される（コンテンツ情報取得ステップ  Ｓ２１０１）。
【０１０８】
次に、連動アイコン情報を取得する。この処理は連動アイコン情報取得部によって実行される（連動アイコン情報取得ステップ  Ｓ２１０２）。
【０１０９】
次に、コンテンツと、コンテンツと連動する連動アイコンを一の領域に表示する。この処理は表示部によって実行される（表示ステップ  Ｓ２１０３）。
【０１１０】
次に、リモコン装置において、ボタンが押下される。この処理はボタンによって実行される（ボタン押下ステップ  Ｓ２１０４）。
【０１１１】
次に、前記ボタン押下ステップ（Ｓ２１０４）にて実行されたボタンの押下に連動して所定の条件を満たす信号を出力する。この処理は信号出力部によって実行される（信号出力ステップ  Ｓ２１０５）。
【０１１２】
次に、コンテンツ処理装置において、前記信号出力ステップ（Ｓ２１０５）にて出力された信号を受信する。この処理は信号受信部によって実行される（信号受信ステップ  Ｓ２１０６）。
【０１１３】
次に、連動アイコンが前記表示ステップ（Ｓ２１０３）にて表示されているか否かを示すアイコン表示有無情報を取得する。この処理はアイコン表示有無情報取得部によって実行される（アイコン表示有無情報取得ステップ  Ｓ２１０７）。
【０１１４】
次に、前記アイコン表示有無情報取得ステップ（Ｓ２１０７）にて取得したアイコン表示有無情報が連動アイコンが前記表示ステップ（Ｓ２１０３）にて表示されている旨を示す情報であるか表示されていない旨を示す情報であるか判断する。ここでの判断が表示されている旨を示す情報であるとの判断であった場合には、後述の信号判断ステップ（Ｓ２１０９）に移行する。ここでの判断が表示されていない旨を示す情報であるとの判断であった場合には、処理を終了する。この処理は判断部によって実行される（アイコン表示有無判断ステップ  Ｓ２１０８）。
【０１１５】
次に、前記アイコン表示有無判断ステップ（Ｓ２１０８）における判断結果が連動アイコンが表示されている旨を示す情報であるとの判断であった場合には、前記信号受信ステップ（Ｓ２１０６）にて受信した信号が所定の条件を満たすか判断する。ここでの判断が所定の条件を満たしているとの判断であった場合には、後述のウインドウ追加ステップ（Ｓ２１１０）に移行する。ここでの判断が所定の条件を満たしていないとの判断であった場合には、処理を終了する。この処理は判断部によって実行される（信号判断ステップ  Ｓ２１０９）。
【０１１６】
次に、前記信号判断ステップ（Ｓ２１０９）における判断結果が所定の条件を満たしているとの判断であった場合には、前記表示ステップ（Ｓ２１０３）における表示形式の変更として、新ウインドウを追加する。この処理はウインドウ追加手段によって実行される（ウインドウ追加ステップ  Ｓ２１１０）。
【０１１７】
次に、前記ウインドウ追加ステップ（Ｓ２１１０）にて新ウインドウが追加された場合に、宣伝広告提供サーバに対して通信を開始し、宣伝広告情報を取得するための情報を送信する。宣伝広告情報を取得するための情報とは、例えば、図２０の例におけるコンテンツＩＤや機器ＩＤなどが該当する。この処理は宣伝広告情報通信取得部によって実行される（宣伝広告関連情報送信ステップ  Ｓ２１１１）。
【０１１８】
次に、宣伝広告提供サーバにおいて、前記宣伝広告関連情報送信ステップ（Ｓ２１１１）にて送信された情報を受信する（宣伝広告関連情報受信ステップ  Ｓ２１１２）。
【０１１９】
次に、前記宣伝広告関連情報受信ステップ（Ｓ２１１２）にて受信された情報に基づいて、宣伝広告情報を抽出する。この処理は主に宣伝広告情報保持部によって実行される（宣伝広告情報抽出ステップ  Ｓ２１１３）。
【０１２０】
次に、前記宣伝広告情報抽出ステップ（Ｓ２１１３）にて抽出された宣伝広告情報をコンテンツ処理装置の宣伝広告情報通信取得部に対して出力する。この処理は宣伝広告情報出力部によって実行される（宣伝広告情報出力ステップ  Ｓ２１１４）。
【０１２１】
次に、前記宣伝広告情報出力ステップ（Ｓ２１１４）にて出力された宣伝広告情報を取得する。この処理は宣伝広告情報通信取得部によって実行される（宣伝広告情報通信取得ステップ  Ｓ２１１５）。
【０１２２】
最後に、前記宣伝広告情報通信取得ステップ（Ｓ２１１５）にて取得された宣伝広告情報を、前記ウインドウ追加ステップ（Ｓ２１１０）にて追加された新ウインドウに表示する。この処理は宣伝広告情報表示部によって実行される（宣伝広告情報表示ステップ  Ｓ２１１６）。
【０１２３】
（実施形態６：効果）
【０１２４】
本実施形態に係るコンテンツ提供システムは、コンテンツ処理装置に対して宣伝広告情報を出力する機能を有する宣伝広告提供サーバをさらに有する。これにより、コンテンツ処理装置に対して外部から宣伝広告情報を提供することができる。
（実施形態７）
【０１２５】
（実施形態７：概要）
【０１２６】
本実施形態は、実施形態１から６のいずれか一に係るコンテンツ提供システムの機能に加え、前記コンテンツの放送を受信し、前記表示部は、受信した連動アイコン情報に基づいてコンテンツに重畳して連動アイコンを表示する機能を有するコンテンツ提供システムに関する。
【０１２７】
（実施形態７：構成）
【０１２８】
本実施形態に係るコンテンツ提供システムの機能ブロックを図１６に例示する。本実施形態に係るコンテンツ提供システムの構成は、実施形態１から６のいずれか一に係るコンテンツ提供システムの構成に「放送受信手段」（１６２２）と「アイコン重畳手段」（１６２３）を加えた構成となる。図１６においては、実施形態５に係るコンテンツ提供システムの構成に前記放送受信手段（１６２２）と前記アイコン重畳手段（１６２３）を加えた構成を例示している。コンテンツ提供システムは、「コンテンツ処理装置」（１６１０）と、「リモコン装置」（１６３０）とを有する。前記コンテンツ処理装置（１６１０）は、「コンテンツ情報取得部」（１６１１）と、「連動アイコン情報取得部」（１６１２）と、「表示部」（１６１３）と、「信号受信部」（１６１４）と、「アイコン表示有無情報取得部」（１６１５）と、「判断部」（１６１６）と、「表示形式変更部」（１６１７）と、「宣伝広告情報通信取得部」（１６１９）と、「宣伝広告情報表示部」（１６２０）と、「機器識別情報保持部」（１６２１）とを有する。また、前記コンテンツ情報取得部（１６１１）は、「放送受信手段」（１６２２）を有する。また、前記表示形式変更部（１６１７）は、「ウインドウ追加手段」（１６１８）を有する。また、前記表示部（１６１３）は、「アイコン重畳手段」（１６２３）を有する。また、前記リモコン装置（１６３０）は、「ボタン」（１６３１）と、「信号出力部」（１６３２）とを有する。
【０１２９】
「放送受信手段」（１６２２）は、前記コンテンツの放送を受信する機能を有する。「放送」とは、有線によってもよいし無線によってもよい。具体的には、例えば、ケーブルテレビ放送、地上デジタル放送波、デジタル衛星放送波、インターネット放送等が挙げられる。放送受信手段における処理は、具体的には、例えば、コンテンツが映像入力端子等のＩ／Ｏから画像データとして入力され、入力された画像データが、ＨＤＤ、ＲＡＭ等の所定の記憶領域に格納される。
【０１３０】
「アイコン重畳手段」（１６２３）は、前記放送受信手段にて受信したコンテンツ情報と前記連動アイコン情報取得部（１６１２）にて取得した連動アイコン情報に基づいてコンテンツに重畳して連動アイコンを表示する機能を有する。「前記放送受信手段にて受信したコンテンツ情報と前記連動アイコン情報取得部にて取得した連動アイコン情報に基づいて」とは、例えば、連動アイコン情報が、連動アイコンが表示される旨を示す内容であれば、コンテンツ処理装置内に別途保持しておいた連動アイコンの画像データをコンテンツの画像データに合成する等して表示するような場合が想定される。
【０１３１】
図１７は、アイコン重畳手段の具体例を示す。まず、放送受信手段（１７１０）にてコンテンツ情報（実際には画像データであるが、図１７においては概念的にコンテンツ情報によって実現されるコンテンツを図示している。）を取得し、連動アイコン情報取得部（１７２０）にて連動アイコン情報として「ｉｃｏｎ＝"ｏｎ"」という情報を取得したとする。この「ｉｃｏｎ＝"ｏｎ"」という情報は、例えば、ＢＭＬ（Ｂｒｏａｄｃａｓｔ  Ｍａｒｋｕｐ  Ｌａｎｇｕａｇｅ）の中で記述される場合等が考えられる。次に、アイコン重畳手段（１７３０）においては、連動アイコン情報取得部（１７２０）で取得された「ｉｃｏｎ＝"ｏｎ"」という連動アイコン情報により、所定の記憶領域に格納されている連動アイコンの画像データを読出し、放送受信手段（１７１０）にて受信したコンテンツ情報によって実現されるコンテンツと連動アイコンが重なりあうように合成し、表示する。さらに具体的には、例えば、アイコン重畳手段はこのような処理を実行するためのプログラムを含み、プログラムはＣＰＵに対して、放送受信手段によって所定の記憶領域に格納されたコンテンツ情報と、連動アイコン情報取得部によって所定の記憶領域に格納された「ｉｃｏｎ＝"ｏｎ"」という連動アイコン情報を読出す処理を命令する。ＣＰＵは命令に従って、所定の記憶領域からこれらの情報を読出す。また、読出した連動アイコン情報「ｉｃｏｎ＝"ｏｎ"」によりＨＤＤ等の所定の記憶領域に格納されている連動アイコンの画像データを読出す。（又は、連動アイコンの画像データも連動アイコン情報に含まれて取得されるようになっていてもよい。また、「ｉｃｏｎ＝"ｏｎ"」という情報の代わりに連動アイコンの画像データがコンテンツと同時に取得されるか否か等により、コンテンツに連動アイコンが表示されるか否かを判断するようになっていてもよい。）ＣＰＵは、読出したコンテンツ情報と連動アイコンの画像データとを合成するための画像データの編集を実行する。編集された画像データは、ＧＰＵによってグラフィックメモリに展開された後、必要に応じてアナログ変換する等してディスプレイ出力信号に変換され、ディスプレイに出力される。
【０１３２】
（実施形態７：処理の流れ）
【０１３３】
図１８は、本実施形態に係るコンテンツ提供システムにおける処理の流れを示すフロー図を例示する。
【０１３４】
最初に、コンテンツ処理装置において、コンテンツの放送を受信する。この処理は放送受信手段によって実行される（放送受信ステップ  Ｓ１８０１）。
【０１３５】
次に、連動アイコン情報を取得する。この処理は連動アイコン情報取得部によって実行される（連動アイコン情報取得ステップ  Ｓ１８０２）。
【０１３６】
次に、前記放送受信ステップ（Ｓ１８０１）にて受信したコンテンツ情報と前記連動アイコン情報取得ステップ（Ｓ１８０２）にて取得した連動アイコン情報に基づいてコンテンツに重畳して連動アイコンを表示する。この処理はアイコン重畳手段によって実行される（アイコン重畳表示ステップ  Ｓ１８０３）。
【０１３７】
次に、リモコン装置において、ボタンが押下される。この処理はボタンによって実行される（ボタン押下ステップ  Ｓ１８０４）。
【０１３８】
次に、前記ボタン押下ステップ（Ｓ１８０４）にて実行されたボタンの押下に連動して所定の条件を満たす信号を出力する。この処理は信号出力部によって実行される（信号出力ステップ  Ｓ１８０５）。
【０１３９】
次に、コンテンツ処理装置において、前記信号出力ステップ（Ｓ１８０５）にて出力された信号を受信する。この処理は信号受信部によって実行される（信号受信ステップ  Ｓ１８０６）。
【０１４０】
次に、連動アイコンが前記アイコン重畳表示ステップ（Ｓ１８０３）にて表示されているか否かを示すアイコン表示有無情報を取得する。この処理はアイコン表示有無情報取得部によって実行される（アイコン表示有無情報取得ステップ  Ｓ１８０７）。
【０１４１】
次に、前記アイコン表示有無情報取得ステップ（Ｓ１８０７）にて取得したアイコン表示有無情報が連動アイコンが前記アイコン重畳表示ステップ（Ｓ１８０３）にて表示されたか判断する。ここでの判断が表示されたとの判断であった場合には、後述の信号判断ステップ（Ｓ１８０９）に移行する。ここでの判断が表示されなかったとの判断であった場合には、処理を終了する。この処理は判断部によって実行される（アイコン表示有無判断ステップ  Ｓ１８０８）。
【０１４２】
次に、前記アイコン表示有無判断ステップ（Ｓ１８０８）における判断結果が連動アイコンが表示されたとの判断であった場合には、前記信号受信ステップ（Ｓ１８０６）にて受信した信号が所定の条件を満たすか判断する。ここでの判断が満たしているとの判断であった場合には、後述のウインドウ追加ステップ（Ｓ１８１０）に移行する。ここでの判断が満たしていないとの判断であった場合には、処理を終了する。この処理は判断部によって実行される（信号判断ステップ  Ｓ１８０９）。
【０１４３】
次に、前記信号判断ステップ（Ｓ１８０９）における判断結果が所定の条件を満たしているとの判断であった場合には、前記アイコン重畳表示ステップ（Ｓ１８０３）における表示形式の変更として、新ウインドウを追加する。この処理はウインドウ追加手段によって実行される（ウインドウ追加ステップ  Ｓ１８１０）。
【０１４４】
次に、前記ウインドウ追加ステップ（Ｓ１８１０）にて新ウインドウが追加された場合に、通信を開始して宣伝広告情報を取得する。この処理は宣伝広告情報通信取得部によって実行される（宣伝広告情報通信取得ステップ  Ｓ１８１１）。
【０１４５】
最後に、前記宣伝広告情報通信取得ステップ（Ｓ１８１１）にて取得された宣伝広告情報を、前記ウインドウ追加ステップ（Ｓ１８１０）にて追加された新ウインドウに表示する。この処理は宣伝広告情報表示部によって実行される（宣伝広告情報表示ステップ  Ｓ１８１２）。
【０１４６】
（実施形態７：効果）
【０１４７】
本実施形態に係るコンテンツ提供システムは、実施形態１から５のいずれか一に係るコンテンツ提供システムの機能に加え、前記コンテンツの放送を受信し、受信したコンテンツ情報と取得した連動アイコン情報に基づいてコンテンツに重畳して連動アイコンを表示する機能を有する。これにより、例えば、コンテンツ情報と連動アイコン情報が異なるタイミングにて受信されるような場合であっても、コンテンツと連動アイコンを重畳して表示することが可能である。
【図面の簡単な説明】
【０１４８】
【図１】実施形態１に係るコンテンツ提供システムの機能ブロック図
【図２】一般的なコンピュータの構成を例示する図
【図３】アイコン表示有無情報取得部の具体例
【図４】判断部の具体例
【図５】表示形式の変更例
【図６】実施形態１に係るコンテンツ処理装置の処理の流れを示すフロー図
【図７】実施形態２に係るコンテンツ提供システムの機能ブロック図
【図８】実施形態２に係るコンテンツ提供システムの処理の流れを示すフロー図
【図９】実施形態３に係るコンテンツ提供システムの機能ブロック図
【図１０】ウインドウの具体例
【図１１】新ウインドウの追加例
【図１２】実施形態４に係るコンテンツ提供システムの機能ブロック図
【図１３】宣伝広告情報の表示例
【図１４】実施形態４に係るコンテンツ提供システムの処理の流れを示すフロー図
【図１５】実施形態５に係るコンテンツ提供システムの機能ブロック図
【図１６】実施形態７に係るコンテンツ提供システムの機能ブロック図
【図１７】アイコン重畳手段の具体例
【図１８】実施形態７に係るコンテンツ提供システムの処理の流れを示すフロー図
【図１９】実施形態６に係るコンテンツ提供システムの機能ブロック図
【図２０】宣伝広告情報保持部の具体例
【図２１】実施形態６に係るコンテンツ提供システムの処理の流れを示すシーケンス図
【符号の説明】
【０１４９】
０１１０    コンテンツ処理装置
０１１１    コンテンツ情報取得部
０１１２    連動アイコン情報取得部
０１１３    表示部
０１１４    信号受信部
０１１５    アイコン表示有無情報取得部
０１１６    判断部
０１１７    表示形式変更部
１３１０    表示部
１３２０    コンテンツ
１３３０    連動アイコン
【図１】
2007052560.tif 000003
【図２】
2007052560.tif 000004
【図３】
2007052560.tif 000005
【図４】
2007052560.tif 000006
【図５】
2007052560.tif 000007
【図６】
2007052560.tif 000008
【図７】
2007052560.tif 000009
【図８】
2007052560.tif 000010
【図９】
2007052560.tif 000011
【図１０】
2007052560.tif 000012
【図１１】
2007052560.tif 000013
【図１２】
2007052560.tif 000014
【図１３】
2007052560.tif 000015
【図１４】
2007052560.tif 000016
【図１５】
2007052560.tif 000017
【図１６】
2007052560.tif 000018
【図１７】
2007052560.tif 000019
【図１８】
2007052560.tif 000020
【図１９】
2007052560.tif 000021
【図２０】
2007052560.tif 000022
【図２１】
2007052560.tif 000023